(57)【要約】【課題】  底部にキャスター輪を備える移動システムの場合、家具等が安定せず、また、床も傷つき易い。【解決手段】  本件出願の家具類の移動装置は、室内の側壁下部と側壁寄り床とのいずれか一方又は双方に固定された側方レールと、押入れ、本棚、仕切り壁、システムキッチン等の家具類を搭載可能な台輪とを備え、台輪には側方レール上を走行可能な車輪と、床面を走行可能な走行ローラーとを備え、台輪を壁面に沿って移動させて、それに搭載されている家具類を前記移動方向と同方向に移動させることができるものである。前記家具類の移動装置において、台輪に備えられた走行ローラーの外側に保護体を備えることもできる。また、台輪に備えられた走行ローラーの接地時の軸の高さを調整可能な調整機構を備えることもできる。また、台輪を昇降可能な昇降機構と支持脚を備え、支持脚を昇降させることにより台輪を昇降させることもできる。【選択図】図１
2006081579.tif 000002
【特許請求の範囲】
【請求項１】
室内の側壁下部と側壁寄り床とのいずれか一方又は双方に固定された側方レールと、押入れ、本棚、仕切り壁、システムキッチン等の家具類を搭載可能な台輪とを備え、台輪には前記側方レール上を走行可能な車輪と、床面を走行可能な走行ローラーとを備え、台輪を壁面に沿って移動させることにより、その台輪に搭載されている家具類を台輪と共に移動可能であることを特徴とする家具類の移動装置。
【請求項２】
請求項１記載の家具類の移動装置において、台輪に備えられた走行ローラーの外側に保護体を備えたことを特徴とする家具類の移動装置。
【請求項３】
請求項１又は請求項２記載の家具類の移動装置において、台輪に、台輪を支持可能な支持脚と、支持脚を昇降可能な昇降機構が備えられ、支持脚は、降下時に床面に着座して台輪を支持し、上昇時に床面から離れるものであり、昇降機構は、その操作部を手動により又は動力により操作して支持脚を昇降させることにより台輪を昇降させることを特徴とする家具類の移動装置。
【発明の詳細な説明】
【技術分野】
【０００１】
本発明は、室内の押入れ、本棚、部屋の仕切り壁、システムキッチン等の家具類を、室内の壁面に沿って移動させることができる家具類の移動装置に関するものである。
【背景技術】
【０００２】
最近のマンション等では、押入れ、収納家具、システム収納等を作り付けにした家具が普及している。これらは固定式であり移動ができないため、マンション内の間取りを変えたり、室内のレイアウトを変えたりする事ができなかったり、できたとしても限度があり、不便であった。
【０００３】
近年は前記不便を解消するため、図１０に示すように、マンション内の間仕切り壁や、間仕切り兼用の押し入れ等を手軽に移動させて、マンション内の間取り、室内のレイアウト、広さ等を変えることができるようにした家具類移動システムが開発されている。その一つとして、家具をのせる台輪に移動用自在車輪（キャスター輪）を備えたものがある（例えば、特許文献１参照。）。
【０００４】
【特許文献１】特許第３１６４５３４号公報。
【発明の開示】
【発明が解決しようとする課題】
【０００５】
特許文献１のように、キャスター輪を備えた移動システムは次のような課題がある。
（１）キャスター輪の支軸が車輪の中心軸からずれた位置にあり、しかも、支軸が旋回するため、台輪に取付けられている複数のキャスター輪の支軸が全て台輪の内側を向くことがあり、その場合は台輪が不安定になり、台輪に搭載されている家具類も不安定になるという課題があった。
（２）キャスター輪の走行跡が床に残ったり、床に傷が付いたりすることもある。
（３）家具自体又は押し入れ内の中身が重い場合、キャスター輪がジュータンの上を走行しにくくなるため、かなり強い力がないと移動させることができない。
【課題を解決するための手段】
【０００６】
本発明の家具類の移動装置は、弱い力（片手で押す程度の力）で手軽に移動させることができ、移動によって床に傷つけることもなく、安定性に優れたものである。
【０００７】
本件出願の家具類の移動装置は、室内の側壁下部と側壁寄り床とのいずれか一方又は双方に側方レールを固定し、このレールに、押入れ、本棚、仕切り壁、システムキッチン等の家具類を搭載可能な台輪に設けた、前記側方レール上を走行可能な車輪を架設し、台輪に床面を走行可能な走行ローラーを設け、台輪に搭載した家具類を手で押すと台輪が移動して家具類も移動するようにした。また、走行ローラーの外側に保護体を設けて走行ローラーにゴミ等が巻き込まれないようにし、走行ローラーを目隠しできるようにした。また、台輪に台輪を支持可能な支持脚と支持脚を昇降可能な昇降機構とを備えた。前記支持脚は、降下時に床面に着座して台輪を支持し、上昇時に床面から離れるものであり、昇降機構は、その操作部を手動により又は動力により操作して支持脚を昇降させることにより台輪を昇降させるものとしてある。
【発明の効果】
【０００８】
本件出願の家具類の移動装置は次のような効果がある。
（１）台輪を側方レール上を走行可能な車輪と、床面を走行可能なローラーとで移動させるので、重い本棚とか家具類であっても、一々中身を出して軽くすることなく、力の弱い女性やお年寄りでも家具を手で押して手軽に移動させることができる。
（２）台輪が室内の側壁に沿って移動するので、家具類を壁面に沿って移動させることができ、移動時に室内の荷物を大幅に移動させたり、整理したりする必要もなく、手軽に移動できる。
（３）側方レールが、室内の側壁下部と側壁寄り床とのいずれか一方又は双方に固定さるので、側方レールが日常生活で邪魔になることがない。
（４）台輪の車輪が側方レール上を移動するため、移動時に家具類の向きが曲がったりすることが無い。
（５）走行ローラーを幅広のローラーとすれば、重い家具類を移動させても、床に車輪の移動跡が付いたり、疵が付いたりすることもない。
（６）台輪に備えられた走行ローラーの外側に保護体を備えるので、走行ローラーが回転する際にゴミ・異物等を巻き込むことを防ぐことができる。また、台輪の下方に突出した走行ローラーを隠す（目隠しする）こともでき、体裁も良くなる。
（７）保護体に、ローラーに接触する掃除具（スクレーパー）を取付れば、ローラーに付着した細かいゴミ等を掻き落とすこともでき、走行ローラーのスムーズな回転を維持することができる。
（８）台輪に走行ローラーの高さを調節する調整機構を備えれば、フローリングやジュータン等、床面に応じて走行ローラーの高さ（床への接触度合い）を調整することができ、どのような床面であってもスムーズに家具類を移動させることができる。
（９）台輪に昇降機構と支持脚を備え、昇降機構の操作で台輪を昇降させることができるので、家具類を所望位置に移動した後で、支持脚を床に設置して容易に台輪を床に固定することができ、家具類も安定する。特に、家具類が間仕切り壁とか押入れなどの場合、振動や衝撃にも強く、安定性が確保される。
（１０）特に、昇降機構を図７〜９に示すようなハンドル５４によってシャフト４２を回動させると、支持脚９を昇降させるロッド４１が揺動し、それにあわせて支持脚９が昇降する機構とした場合、少ない力で簡単に支持脚を昇降させることができる。
【発明を実施するための最良の形態】
【０００９】
（実施形態１）
本発明の家具類の移動装置の実施形態の一例を図面に基づいて説明する。図１に示す家具類の移動装置は、マンションなどの室内に施工した例であり、家具類が押入れ等の場合である。本発明の家具類の移動装置は、図１に示すように、室内の側壁１の下部に固定された側方レール２と、その側方レール２に沿って移動できるように設置された台輪３とから構成される。台輪３の上には家具類６が搭載されている。台輪３には側方レール２の上を走行する車輪４と、床面７を走行する走行ローラー５とが取付けられ、台輪３の上に搭載された家具類６を押すと、前記車輪４及び走行ローラー５が、夫々側方レール２上及び床面７を走行して台輪３と家具類６とが共に側壁１に沿って移動するようにしてある。
【００１０】
前記側方レール２は金属製であり、図２に示すように、上部が鉤型に形成されて、車輪４の両端に形成された鍔８間に配置されて車輪４を走行可能とする走行部１１としてある。また、側壁１と側方レール２の間には、図２及び図３に示すように、車輪４の鍔８が配置される走行空間１２が形成されている。走行空間１２内に鍔８を挿入して車輪４を備えることにより、車輪４の側方レール２からの脱落が防止されるようにしてある。側方レール２は、図２に示すように、側壁１との間に幅木１３を介して、ネジ等の固定具１４によって側壁１に固定されている。側方レール２の長さは、その上を台輪３が移動することにより、台輪３及びそれに搭載された家具類６を所望位置まで移動させることができる長さにしてある。
【００１１】
台輪３は図１に示すように、二本の金属製のコ字型の前後フレーム１５ａ、１５ｂと、二本の金属製のコ字型の側方フレーム１６ａ、１６ｂを組み合せて長方形にしてある。前後フレーム１５ａ、１５ｂ及び側方フレーム１６ａ、１６ｂは、夫々の開口部を内側に向けて組み合わせてある。更に、二本の前後フレーム１５ａ、１５ｂ間に、その長手方向に所定間隔で補強材１７を配置してある。補強材１７は、複数本備えることもできる。もっとも、台輪３は、図１に示す構成には限られず、一体成形によって形成するなど、任意の構成とすることができる。
【００１２】
図１〜図３に示すように、側壁側の側方フレーム１６ａの長手方向（前後方向）両端寄りには、側方レール２の上を走行する車輪４が二個取付けられている。また、図１、図４に示すように、前後フレーム１５ａ、１５ｂのうち他方の側方フレーム１６ｂ側の対向位置には、フレームの下板を上方に立ち上げて収容空間１８が形成され、その内側に横長の走行ローラー５が取付けられている。
【００１３】
前記車輪４は、図２に示すように、幅方向両側に径の大きな鍔８が形成された車輪であり、側方フレーム１６ａの側面に取付けられた軸２１に取付けられている。この場合、軸２１を側方フレーム１６ａに回転自在に取付けてもよく、軸２１は固定で、車輪４を軸２１に回転自在に取付けてもよい。車輪４は側方レール２の上に架設すると一方の鍔８が側方レール２の上部側方の空間１２内に配置され、他方の鍔８が側方レール２の外側に配置されて、二枚の鍔８が側方レール２を跨いで車輪４が側方レール２上から脱落しないようにしてある。車輪４は、金属製、樹脂製等、任意の材質製とすることができる。
【００１４】
前記走行ローラー５は、図４に示すように横長であって、内部に軸２２が貫通され、軸２２が軸受け２８で支持されて回転可能としてある。この走行ローラー５は台輪３の収容空間１８内に配置され、軸２２の両端が収容空間１８の両側板１９に形成された溝２０内に挿入されて前後方向（台輪３の移動方向）に回転自在としてある。溝２０は側板１９の高さ方向中央部から下端に向けて開口されて、軸２２の両端を上下動可能としてある。走行ローラー５の下部は、図４に示すように前後フレーム１５ａ、１５ｂの底面よりも下方に突出して床面７に接地するようにしてある。また、図３に示すように、走行ローラー５は前後フレーム１５ａ、１５ｂの内側には突出するが、外側には突出しないように収容空間１８内に配置されている。走行ローラー５は長い方が床面の保護等の面からは望ましいが、長過ぎると移動が重くなるので、任意の長さのものを使用することができる。走行ローラー５の長さは、例えば２０〜３０ｃｍ程度が適する。また、走行ローラー５も、金属製、樹脂製等の任意の材質製とすることができる。
【００１５】
また、図４に示すように、走行ローラー５の軸２２の一方の端部には、走行ローラー５の接地時の軸２２の高さを調整することができる調整機構２３が備えられている。前記調整機構２３は、図５に示すように、収容空間１８の一方の側板１９の外側にナット２４を取付け、そのナット２４にスプリング２５内に挿入したボルト２６を螺合させて、ボルト２６をナット２４にねじ込んでナット２４の下端からボルト２６の先端を突出させると、突出したボルト２６の先端が軸２２を下方へ押して、軸２２が収容空間１８の側板１９の溝２０に沿って押し下げられるようにしてある。逆に、ボルト２６を緩めると、ボルト２６の先端が上昇し、軸２２が溝２０に沿って上昇する。ボルト２６を台輪３の外側から操作できるようにするため、前後フレーム１５ａ、１５ｂの上面のうち、ボルト２６の真上の位置に操作孔２７が開口されている。
【００１６】
走行ローラー５の外側には図４〜図６に示すように保護体３０が設けられている。保護体３０は、図６に示すように、二本の金属製の角柱型の前後フレーム３１ａ、３１ｂと、二本の金属製の角柱型の側方フレーム３２ａ、３２ｂを組み合わせて長方形の枠状にしたものである。この保護体３０は、図５に示すように、走行ローラー５の周囲の床面上に置かれたものであり、走行ローラー５の動作時に、走行ローラー５に押されて床面上を摺動できるようにしてある。また、保護体３０は、台輪３の前後フレーム３１ａ、３１ｂの底面や、他の箇所に取付けることもできる。その際、保護体３０はその底面が床面よりも多少浮く高さにするか又は床面に接地する高さにすることができる。保護体３０は、図５に示すように、前後フレーム１５ａ、１５ｂの内側に突出させてあり、前後フレーム１５ａ、１５ｂの外側には突出しないようにしてある。保護体３０の底面にはフェルト等のゴミを付着し易い材質製のゴミ取り材３３が備えられている。ゴミ取り材３３によって台輪３の移動時に床面のゴミ等を付着させて走行ローラー５にゴミが巻き込まれないようにしてある。また、保護体３０の前後フレーム３１ａ、３１ｂの内側には掃除具３４が走行ローラー５に接触するように備えられている。図に示す掃除具３４はスクレーパー（掻き取り具）であるが、これに限らず、ブラシとか、他の任意のものとすることができる。掃除具３４を設けることにより、走行ローラー５が回転するとそれに付着しているゴミが掃除具３４によって自動的に掻き落とされる。
【００１７】
また、図３、図７（ａ）（ｂ）に示すように、台輪３の四隅部分のフレームの下面には、下向きに支持脚突出窓４０が開口されており、その支持脚突出窓４０の上方の、台輪３の四隅部分の内部空間内に支持脚９が備えられている。また、各支持脚９には、ロッド４１の一端が夫々取付けられ、各ロッド４１の他端は、１本のシャフト４２に回動可能に取付けられている。
【００１８】
前記支持脚９は、図７（ａ）（ｂ）に示すように、支持脚突出窓４０の上方の台輪３の内部空間に備えられている。前記支持脚９は、図７（ａ）（ｂ）に示すように、支持脚用ブラケット４３に取付けられている。その支持脚用ブラケット４３は、台輪３の内壁にビス等によって固定されている。支持脚９は、連結アーム４４、回動アーム４５、脚部ロッド４６、脚材４７を備えてなり、連結アーム４４の上端部と前記支持脚用ブラケット４３の上端部、連結アーム４４の下端部と回動アーム４５の上端部、回動アーム４５の下端部と脚部ロッド４６の上端部とは、夫々回動可能に連結されている。脚部ロッド４６の下端部には、円盤状の脚材４７が固定されている。脚材４７は、ゴム製等、滑りにくく、床面を傷つけない素材製のものを用いることが望ましい。連結アーム４４の下端部と回動アーム４５の上端部の連結部分には、図７（ａ）（ｂ）に示すように、前記ロッド４１の先端部分が回動可能に取付けられている。また、回動アーム４５の下端部と脚部ロッド４６の上端部の連結部分は、支持脚用ブラケット４３のストッパー部４８内に収容されている。従って、図７（ａ）（ｂ）に示す矢印方向にロッド４１を前後させると（図中矢印方向）、連結アーム４４の下端部と回動アーム４５の上端部の連結部分もそれに伴って前後動し、その動作にあわせて、回動アーム４５の下端部に連結された脚部ロッド４６がストッパー部４８内で昇降動して、脚部ロッド４６と脚材４７とが昇降動する。
【００１９】
前記ロッド４１の後端部分は、図８、図９（ａ）（ｂ）に示すようにして一本のシャフト４２に連結されている。ロッド４１は、図３に示すように、左右一本ずつの二本一組でシャフト４２に備えられている。各ロッド４１の後端部分には、図８に示すように、リング状の取付リング５０が固定されている。その取付リング５０内に、樹脂等によって円盤状に形成されたスペーサ５１の突起部５２を摺動可能に嵌入させてある。前記スペーサ５１は、その中心軸からずれた位置に取付け孔５３が開口され、その取付け孔５３にシャフト４２を挿通させ、スペーサ５１とシャフト４２とを固定して、前記ロッド４１の後端部分を一本のシャフト４２に連結させている。前記シャフト４２は、一本のパイプ又は丸棒であって、台輪３の前後レール１５ａ、１５ｂと平行に台輪３に取付可能な長さに形成されている。シャフト４２は、台輪３の前後レール１５ａ、１５ｂと平行にして、側方レール１６ａ、１６ｂ及び補強材１７の長手方向中央部分を貫通させて台輪３に取付けられている。シャフト４２の一端は、図１に示すように、側方レール１６ｂから台輪３の外方に突出しており、その突出した端部にはハンドル５４が取付けられている。前記ハンドル５４を、図１中の矢印Ｘ−Ｙ方向に動かすことによって、台輪３の外からシャフト４２を回動操作できるようにしてある。
【００２０】
本実施形態の家具類の移動装置では、図１に示すハンドル５４を、矢印Ｘ方向に倒すと、シャフト４２及び各スペーサ５１が同方向に回動し、スペーサ５１と取付リング５０とが摺動回転して、図９（ａ）に示すように、ロッド４１がシャフト４２側に引かれる方向（図９（ａ）中矢印方向）に動くようにしてある。この時、図７（ａ）に示すように、ロッド４１がシャフト４２側に引かれると、支持脚９の連結アーム４４、回動アーム４５、脚部ロッド４６が同図に示すように直線状に伸ばされて、脚部ロッド４６が下降して脚材４７が支持脚突出窓４０から突出し、床面に着座するようにしてある。脚材４７を床面に着座させると、車輪４及び走行ローラー５を側方レール２及び床面７から浮かせて、台輪３を支持脚９で支持して家具類６を所望位置に固定することができる。反対に、図１に示すハンドル５４を、矢印Ｙ方向に倒すと、シャフト４２及び各スペーサ５１が同方向に回動し、スペーサ５１と取付リング５０とが摺動回転して、図９（ｂ）に示すように、ロッド４１が前後フレーム１５ａ、１５ｂ側に押し出される方向（図９（ｂ）中矢印方向）に動くようにしてある。この時、図７（ｂ）に示すように、ロッド４１が前後フレーム１５ａ、１５ｂ側に押し出されると、支持脚９の連結アーム４４、回動アーム４５、脚部ロッド４６が同図に示すように曲げられて、脚部ロッド４６が上昇して脚材４７が床面から離れて台輪３内に収容されるようにしてある。この場合は、車輪４及び走行ローラー５が側方レール２及び床面７に着座し、台輪３を動かして家具類６を所望位置に移動させることができる。
【００２１】
（その他の実施形態）
本発明の家具類の移動装置の台輪の固定は、前記実施形態１に示す支持脚による固定には限られず、例えば、別途ストッパーを車輪及び走行ローラーに配置する等、任意の方法によって行うことができる。また、台輪を昇降させる機構も、前記実施形態１に示す機構には限られず、モータ等を備えて動力によって昇降させたり、他の手動の機構を用いたりするなど、任意の構成とすることができる。
【００２２】
本発明の家具類の移動装置は、台輪に搭載する家具類が押入れ等である場合には限られず、仕切り壁等、その他任意の家具類であっても、同様に使用することができる。
【産業上の利用可能性】
【００２３】
本発明の家具類の移動装置は、マンション等の住宅に限らず、事務所、倉庫、体育館等、任意の目的の建物に応用することができる。
【図面の簡単な説明】
【００２４】
【図１】本発明の家具類の移動装置の実施形態の一例を示す斜視図。
【図２】図１に示す家具類の移動装置中の側方レールと車輪の配置を示す正面説明図。
【図３】図１に示す家具類の移動装置中の台輪の様子を示す平面図。
【図４】図１に示す家具類の移動装置中の走行ローラーの様子を示す断面正面図。
【図５】図４に示す走行ローラーの取付けの様子を示す断面側面図。
【図６】図１に示す家具類の移動装置中の走行ローラーと保護体の配置を示す斜視説明図。
【図７】（ａ）は、図１に示す家具類の移動装置中の支持脚の突出時の様子を示す断面説明図。（ｂ）は、（ａ）に示す支持脚の収容時の様子を示す断面説明図。
【図８】図１に示す家具類の移動装置中の、支持脚昇降用のシャフトとロッドとの連結の様子を示す斜視説明図。
【図９】（ａ）は、支持脚の突出時のシャフトとロッドの様子を示す斜視説明図。（ｂ）は、支持脚の収容時のシャフトとロッドの様子を示す斜視説明図。
【図１０】家具や壁等を移動させてマンション等の間取りやレイアウトを変化させる様子を示す断面平面図。
【符号の説明】
【００２５】
１  側壁
２  側方レール
３  台輪
４  車輪
５  走行ローラー
６  家具類
７  床面
９  支持脚
２３  調整機構
３０  保護体
４０  支持脚突出窓
４１  ロッド
４２  シャフト
５４  ハンドル
【図１】
2006081579.tif 000003
【図２】
2006081579.tif 000004
【図３】
2006081579.tif 000005
【図４】
2006081579.tif 000006
【図５】
2006081579.tif 000007
【図６】
2006081579.tif 000008
【図７】
2006081579.tif 000009
【図８】
2006081579.tif 000010
【図９】
2006081579.tif 000011
【図１０】
2006081579.tif 000012